(57)【要約】      （修正有）【課題】横臥時において、腰部、臀部が配設される部分の硬度を高めるとともに、優れた通気性も実現できる三折マットレスを提供する。【解決手段】三折マットレス１は、第一中材層１０、第二中材層２０および第三中材層３０からなり、第一中材層１０、第二中材層２０および第三中材層３０をカバー２で被覆し、各層の長手方向端部３を連結することにより、三つ折り状に積層することができる。第二中材層２０の中材２１を三次元網状構造繊維２２とした。また三次元網状構造繊維２２は、二層に積層されている。さらに折り畳み時に側面を固定する保持体を装着し、三折マットレス１に周囲にカバー体を被覆した。【選択図】図１
0003231912.tif 000002
【実用新案登録請求の範囲】
【請求項１】
第一中材層、第二中材層および第三中材層からなり、前記第一中材層、第二中材層および第三中材層をカバーで被覆し、各層の長手方向端部を連結することにより、三つ折り状に積層することができる三折マットレスにおいて、前記第二中材層の中材を三次元網状構造繊維としたことを特徴とする三折マットレス。
【請求項２】
前記三次元網状構造繊維は、二層に積層されている請求項１記載の三折マットレス。
【請求項３】
前記三折マットレスに、折り畳み時に側面を固定する保持体を装着した請求項１または２記載の三折マットレス。
【請求項４】
前記三折マットレスに、折り畳み時に周囲を覆うカバー体を被覆した請求項１乃至３のうちいずれか１項に記載の三折マットレス。
【考案の詳細な説明】
【技術分野】
【０００１】  本考案は、軽量で通気性が良く、さらには横臥時の身体の各部位において、好適なクッション性を発揮できる三折マットレスに関する。
【背景技術】
【０００２】  従来より、三層の中材をそれぞれシートで被覆し、各層の長手方向端部を連結することにより、三つ折り状に積層することができる三折マットレスがある。かかる三折マットレスはコンパクトに折り畳めることができるため、押入れ等に容易に収納できるという特徴を有する。【０００３】  また、上述の三折マットレスに関連する先行技術として、就寝姿勢のヒトの頭部、腰部および脚部を各体圧に応じて適切に支持することができ、しかも指圧効果および通気性にも優れ、よって、より改良された寝心地が得られる寝具用マットがある（例えば特許文献１参照）。【０００４】  上掲特許文献１の寝具用マットは、同一素材の軟質ウレタンフォームよりプロファイル加工によって形成された一体物の寝具用マットであって、該マットの長手方向に関して区分されたヒトの頭部、腰部および脚部に対応する３つの部位について、外形がそれぞれ異なる三次元曲面の凹凸面を前記マットの表面に形成することにより、これら３つの部位の硬度が各々異なっていることを特徴としている。
【先行技術文献】
【特許文献】
【０００５】
【特許文献１】特開平１０−２７２０３６号公報
【考案の概要】
【考案が解決しようとする課題】
【０００６】  上掲特許文献１の寝具用マットは、外形がそれぞれ異なる三次元曲面の凹凸面をマットの表面に形成することにより、３つの部位の硬度が各々異なっているとされている。しかし、人が横臥した状態では、腰部や臀部に体重が集中するため、マットレスの中央部分にはさらなる硬度と通気性が必要となる。【０００７】  そこで本考案は上記の点に鑑み、横臥時において、腰部、臀部が配設される身体部分の硬度を高めるとともに、優れた通気性も実現できる三折マットレスを提供することにある。
【解決を解決するための手段】
【０００８】  上記課題を解決するために、本考案の三折マットレスは、第一中材層、第二中材層および第三中材層からなり、前記第一中材層、第二中材層および第三中材層をカバーで被覆し、各層の長手方向端部を連結することにより、三つ折り状に積層することができる三折マットレスにおいて、前記第二中材層の中材を三次元網状構造繊維とした。
【０００９】  また三次元網状構造繊維は、二層に積層されている。
【００１０】  また三折マットレスに、折り畳み時に側面を固定する保持体を装着した。
【００１１】  さらに三折マットレスに、折り畳み時に周囲を覆うカバー体を被覆した。
【考案の効果】
【００１２】  横臥時、人体の腰部と臀部が載置される第二中材層を三次元網状構造繊維としたことにより、硬度を高めるとともに、優れた通気性も実現できる。また三次元網状構造繊維を二層に積層することで、硬度をさらに高めることができる。
【００１３】  また折り畳み時に、側面を固定する保持体を装着し、周囲を覆うカバー体を被覆したことにより、運搬や収納面、また外観面でも高い利便性が得られる。
【図面の簡単な説明】
【００１４】
【図１】  本考案の三折マットレスの展開時の斜視図である。
【図２】  前記三折マットレスの折り畳み状態を示す。
【図３】  折り畳み状態の断面図である。
【図４】  折り畳み状態の斜視図である。
【図５】  側面に保持体を装着した状態の使用図である。
【図６】  周囲にカバー体を被覆した状態の使用図である。
【考案を実施するための形態】
【００１５】  本考案の三折マットレスは、横臥時において、腰部、臀部が配設される身体部分の硬度を高めるとともに、優れた通気性も実現できることを特徴とする。
以下、本考案の三折マットレスの実施の形態を図面に基づいて説明する。
【００１６】  図１に示す三折マットレス１は、第一中材層１０、第二中材層２０および第三中材層３０で形成されている。また前記第一中材層１０、第二中材層２０および第三中材層３０は、カバー２で被覆されており、各層の長手方向端部３を一体的に連結することにより、図２乃至図４に示すように三つ折り状に積層することができる。
【００１７】  前記第一中材層１０の中材１１および第三中材層３０の中材３１は、発泡合成樹脂の素材で板状に形成されている。発泡合成樹脂は優れた軟質性を有しているので、三折マットレス１の展開時、中材１１は頭部に、中材３１は脚部に配設される。なお、前記発泡合成樹脂は特に限定されるものではなく、一般的に市販されている汎用の素材が使用される。
【００１８】  また特に、前記第二中材層２０の中材２１は、三次元網状構造繊維２２で形成されている。三次元網状構造繊維２２は、フィラメントをランダムに交絡したもので、フィラメント間に複数の空隙を備えるものである。この三次元網状構造繊維２２は軽量であり高い弾力性を発揮し、さらには優れた通気性が得られる。そのため、前記第二中材層２０の中材２１を三次元網状構造繊維２２とすることで、横臥時、荷重の掛かる腹部、腰部、臀部等の沈み込みが軽減され、快適な睡眠を実現できる。
【００１９】  また他の好適例として、第二中材層２０の中材２１を二層に積層することが好ましい。図示するように、三次元網状構造繊維２２を二層に積層することで、より高い弾性力を発揮することができる。
【００２０】  また他の好適例として、図５に示すように、本考案の三折マットレス１に、折り畳み時に両側面を固定する保持体４を装着した。該保持体４は短冊状の布材または樹脂製のシート材で形成されており、両端部５，６がそれぞれ前記第一中材層１０と第三中材層３０の両側面に着脱自在に装着されている。かかる保持体４を装着することにより、それぞれの中材を固定した状態で容易に持ち運びすることができる。
【００２１】  また他の好適例として、図６に示すように、本考案の三折マットレス１に、折り畳み時に周囲を覆うカバー体７を被覆した。カバー体７の素材等は特に限定されるものではなく、適宜強度と防水性を有するものが好適に使用される。三折マットレス１にカバー体７を被覆することで埃の付着を防ぐとともに、外観面においても好ましく室内に置いても違和感がない。
【００２２】  上述の如く本考案の三折マットレスは、横臥時、人体の腰部と臀部が載置される第二中材層を三次元網状構造繊維としたことにより、硬度を高めるとともに、優れた通気性も実現できる。また三次元網状構造繊維を二層に積層することで、さらに硬度を高めることができる。
【００２３】  また折り畳み時に、側面を固定する保持体を装着し、周囲を覆うカバー体を被覆したことにより、運搬や収納面、また外観面でも高い利便性が得られる。
【符号の説明】
【００２４】１    三折マットレス
２    カバー
３    長手方向端部
４    保持体
５    端部
６    端部
７    カバー体
１０  第一中材層
１１  中材
２０  第二中材層
２１  中材
２２  三次元網状構造繊維
３０  第三中材層
３１  中材
【図１】
0003231912.tif 000003
【図２】
0003231912.tif 000004
【図３】
0003231912.tif 000005
【図４】
0003231912.tif 000006
【図５】
0003231912.tif 000007
【図６】
0003231912.tif 000008